(57)【特許請求の範囲】
【請求項１】
入力した複数のチャンネルの映像信号のうち途切れていないものの中から所定の優先順位に従って主映像信号を選択し、前記主映像信号からフレーム同期信号を基準フレーム同期信号として抽出する主映像信号選択部と、
前記基準フレーム同期信号を用いて前記複数のチャンネルの映像信号にフレーム同期処理を施して、同期した前記複数のチャンネルの映像信号を出力するフレーム同期処理部とを備えることを特徴とする多チャンネルフレーム同期装置。
【請求項２】
前記主映像信号選択部は、
前記複数のチャンネルの映像信号について入力の有無を判定し、それぞれのフレーム同期信号を抽出する入力判定・同期信号抽出部と、
前記入力判定・同期信号抽出部により入力有りと判定された前記映像信号のうち所定の優先順位が最も高いものを選択する主映像信号判定部と、
前記複数のチャンネルの映像信号の前記フレーム同期信号を入力し、前記主映像信号判定部が選択した前記映像信号の前記フレーム同期信号を前記基準フレーム同期信号として出力する基準信号セレクタとを有することを特徴とする請求項１に記載の多チャンネルフレーム同期装置。
【請求項３】
前記入力判定・同期信号抽出部は、前記複数のチャンネルの映像信号のそれぞれについてフレーム同期信号を抽出して前記フレーム同期信号と次の前記フレーム同期信号との間隔であるフレーム同期信号間隔を測定し、前記フレーム同期信号間隔が直前の前記フレーム同期信号間隔と一致した場合に入力有と判定し、それぞれの前記フレーム同期信号を出力することを特徴とする請求項２に記載の多チャンネルフレーム同期装置。
【発明の詳細な説明】
【技術分野】
【０００１】
本発明は、複数のチャンネルの映像信号を入力し、フレーム同期処理を施して出力する多チャンネルフレーム同期装置に関する。
【背景技術】
【０００２】
多チャンネルフレーム同期装置において、同期処理を施すための同期信号は、外部から入力する場合と、映像信号から抽出する場合がある（例えば、特許文献１参照）。
【先行技術文献】
【特許文献】
【０００３】
【特許文献１】特開２００８−３０１１４６号公報
【発明の概要】
【発明が解決しようとする課題】
【０００４】
同期信号を映像信号から抽出すれば、外部から入力する場合に必要なインタフェース部分が不要となる。しかし、同期信号を抽出する映像信号が途切れた場合、全ての映像信号のフレーム同期が取れなくなるという問題があった。
【０００５】
本発明は、上述のような課題を解決するためになされたもので、その目的は映像信号が途切れた場合でもフレーム同期を取ることができる多チャンネルフレーム同期装置を得るものである。
【課題を解決するための手段】
【０００６】
本発明に係る多チャンネルフレーム同期装置は、入力した複数のチャンネルの映像信号のうち途切れていないものの中から所定の優先順位に従って主映像信号を選択し、前記主映像信号からフレーム同期信号を基準フレーム同期信号として抽出する主映像信号選択部と、前記基準フレーム同期信号を用いて前記複数のチャンネルの映像信号にフレーム同期処理を施して、同期した前記複数のチャンネルの映像信号を出力するフレーム同期処理部とを備えることを特徴とする。
【発明の効果】
【０００７】
本発明により、映像信号が途切れた場合でもフレーム同期を取ることができる。
【図面の簡単な説明】
【０００８】
【図１】本発明の実施の形態に係る多チャンネルフレーム同期装置を示す図である。
【図２】本発明の実施の形態に係る主映像信号選択部を示す図である。
【図３】本発明の実施の形態に係るフレーム同期処理部を示す図である。
【発明を実施するための形態】
【０００９】
図１は、本発明の実施の形態に係る多チャンネルフレーム同期装置を示す図であり、ＳＭＰＴＥ規格で規定されるＳＤＩ信号を処理する場合の構成例を示している。この装置は、デシリアライザ部１０、主映像信号選択部２０、フレーム同期処理部３０、及びシリアライザ部４０を備える。入出力する映像信号の数は３つである。
【００１０】
デシリアライザ部１０は、入力された映像信号１，２，３からそれぞれ映像クロック１，２，３を抽出し、シリアルの映像データ１，２，３のサンプリングを行う。そして、サンプリングしたシリアルの映像データ１，２，３をパラレルデータに変換する。
【００１１】
主映像信号選択部２０は、入力した複数のチャンネルの映像信号のうち途切れていないものの中から所定の優先順位に従って主映像信号を選択する。そして、主映像信号からフレーム同期信号及び映像クロックをそれぞれ基準フレーム同期信号及び基準映像クロックとして抽出する。
【００１２】
フレーム同期処理部３０は、基準フレーム同期信号及び基準映像クロックを用いて映像データ１，２，３にフレーム同期処理を施して、基準フレーム同期信号及び基準映像クロックに同期した複数のチャンネルの映像データ１ｓ，２ｓ，３ｓを出力する。
【００１３】
シリアライザ部４０は、パラレルデータの映像データ１ｓ，２ｓ，３ｓをシリアルデータに変換し、データとクロックが重畳されたシリアルの映像信号１，２，３として出力する。
【００１４】
図２は、本発明の実施の形態に係る主映像信号選択部を示す図である。主映像信号選択部２０は、入力判定・同期信号抽出部２１ａ，２１ｂ，２１ｃ、主映像信号判定部２２、及び基準信号セレクタ２３を有する。
【００１５】
入力判定・同期信号抽出部２１ａ，２１ｂ，２１ｃは、映像データ１，２，３についてフレーム同期信号１，２，３を抽出し、それぞれの入力の有無を判定する。フレーム同期信号の抽出は、例えば、ＳＭＰＴＥ規格で規定されるＳＤＩ信号における有効画素の終わりを示す信号ＥＡＶを用いる。ＥＡＶを監視し、フレーム先頭のタイミングを検出した場合、その１クロック分をフレーム同期信号とする。具体的には、インターレスの場合は、映像データのＦビット（ＥＡＶに含まれる情報ビット）が１から０に変化するＥＡＶを検出する。プログレッシブの場合は、映像データのＶビット（ＥＡＶに含まれる情報ビット）が１から０に変化するＥＡＶを検出する。
【００１６】
また、入力判定には、フレーム同期信号を用いる。具体的には、フレーム同期信号と次のフレーム同期信号との間隔を測定し、フレーム同期信号の間隔が直前の測定値と一致すれば入力は有効と判定し、フレーム同期信号の間隔が直前の測定値と不一致ならば入力は無効と判定する。
【００１７】
主映像信号判定部２２は、入力判定・同期信号抽出部２１により入力有りと判定された映像信号のうち所定の優先順位が最も高いものを主映像信号として選択する。優先順位とは、例えば入力系順（１⇒２⇒３）である。
【００１８】
基準信号セレクタ２３は、複数のチャンネルの映像信号のフレーム同期信号１，２，３を入力し、主映像信号判定部２２が選択した映像信号のフレーム同期信号及び映像クロックをそれぞれ基準フレーム同期信号及び基準映像クロックとして出力する。
【００１９】
図３は、本発明の実施の形態に係るフレーム同期処理部を示す図である。フレーム同期処理部３０はフレームシンクロナイザ３１，３２，３３を有する。フレームシンクロナイザ３１は、フレームメモリ３１ａと、映像データ１をフレームメモリ３１ａに書き込む書込制御部３１ｂと、書込制御部３１ｂからの入力フレーム番号通知と基準フレーム同期信号及び基準映像クロックに応じてフレームメモリ３１ａから映像データ１を読み出す読出制御部３１ｃとを有する。これにより、フレームシンクロナイザ３１は、映像データ１を基準フレーム同期信号及び基準映像クロックに同期させた映像データ１ｓを出力する。フレームシンクロナイザ３２，３３も同様の機能を有する。
【００２０】
以上説明したように、本実施の形態では、入力した複数の映像信号のうち途切れていないものから基準フレーム同期信号を抽出し、それを用いて複数のチャンネルの映像信号にフレーム同期処理を施す。このように映像信号が途切れているかどうかを判定し、途切れた場合は同期信号の抽出対象を他の映像信号に切り替えることで、映像信号が途切れた場合でもフレーム同期を取ることができる。
【００２１】
また、同期信号を外部から入力する場合には同期信号のズレにより全ての出力映像に周期乱れが発生する可能性があるが、本実施の形態では主映像信号となる１系統の映像については同期乱れを回避することができる。
【符号の説明】
【００２２】
２０  主映像信号選択部
２１  入力判定・同期信号抽出部
２２  主映像信号判定部
２３  基準信号セレクタ
３０  フレーム同期処理部
【図１】
0005862383.tif 000002
【図２】
0005862383.tif 000003
【図３】
0005862383.tif 000004